(57)【要約】      （修正有）【課題】レール手段に沿って摺動することができ、且つ投光角度を調整することができる照明手段を備えた照明装置を提供する。【解決手段】摺動軸線Ｌ１に沿って移動できるようにレール手段２に取付けられている摺動部３１と、摺動部３１から延伸する回動軸線Ｌ２を軸心として回動できる回動部３２と、回動部３２を横断する揺動軸線Ｌ３を揺動軸として揺動できる揺動部３２と、を有し、揺動部３２に発光手段が取り付けられている。【選択図】図１
0003189691.tif 000002
【実用新案登録請求の範囲】
【請求項１】
所定の長さ方向に沿って延伸して長尺状に形成されたレール手段と、
前記所定の長さ方向を摺動軸線として摺動できるように前記レール手段に取付けられていて前記移動によって投光目標を調整することができる可動投光手段とを具えている照明装置において、
前記可動投光手段は、
前記摺動軸線に沿って移動できるように前記レール手段に取付けられている摺動部と、
前記摺動部から延伸する回動軸線に沿って延伸し、前記回動軸線を軸心として回動できるように前記摺動部に取付けられている回動部と、
前記回動部を横断する揺動軸線を揺動軸として揺動できるように前記回動部に取付けられている揺動部と、を有するように構成され、
前記揺動部は、
前記揺動軸線を揺動軸として揺動できるように前記回動部に取付けられていると共に、外部と連通する開口を有する内側空間を画成するように略皿状に形成されているカバーと、
前記内側空間内に収容されて前記開口に向かって発光するように前記カバー内に取付けられているＬＥＤモジュールと、
前記ＬＥＤモジュールから発する光を案内するように前記内側空間に収容されている導光体と、を有するように構成されていることを特徴とする照明装置。
【請求項２】
前記レール手段は、前記所定の長さ方向に沿って延伸する本体と、
前記所定の長さ方向に沿って延伸すると共に、前記本体の前記所定の長さ方向に沿って延伸する一面から突設されているレールとを有するように形成されており、
前記可動投光手段の前記摺動部は、
前記摺動軸線に沿って移動できるように前記レールに取付けられていると共に、前記回動部の前記摺動部に挿し込まれている一端を受入れる挿込孔があけられているケーシングと、前記ケーシング内に配置されていると共に、前記ＬＥＤモジュールと電気的に接続する摺動座とを有していることを特徴とする請求項１に記載の照明装置。
【請求項３】
前記回動部は、
前記回動軸線を回動軸として回動できるように一端が前記挿込孔に挿し込まれている管体と、
前記管体の前記挿込孔に挿し込まれている前記一端に固定され、前記摺動部内に収容されている回動リングとを有しており、
前記摺動部は、
前記回動部の前記回動リングを係止して前記回動リング及び前記管体が回動できる角度範囲を所定範囲内に制限することができるように前記摺動座から突起する制限ブロックを更に有するように配置構成されていることを特徴とする請求項２に記載の照明装置。
【請求項４】
前記回動リングと前記摺動部の前記挿込孔の周縁との間に、ゴムリングが介在していることを特徴とする請求項３に記載の照明装置。
【請求項５】
前記揺動部の前記カバーは、一端が枢支端として前記回動部の前記管体の前記摺動部外に露出している先端に枢支されていると共に、前記枢支端の反対側にある他端が照明端として開口し、前記内側空間を画成する収容凹部が形成されており、
前記揺動部は、更に、前記内側空間に配置されていると共に、前記ＬＥＤモジュールが取付けられているＬＥＤ基板と、
前記ＬＥＤ基板の前記カバーの前記開口に向かう一面側から、前記カバーの前記開口の内周縁まで延伸する略中空せっ頭錐状に形成された反射ユニットと、
前記カバーの前記開口に取付けられている環状キャップとを有し、
前記導光体は、前記反射ユニットにより囲まれていると共に、前記環状キャップにより前記内側空間内に固定されていることを特徴とする請求項４に記載の照明装置。
【請求項６】
前記導光体は、前記ＬＥＤモジュールから発する光を放射角が１５°〜６０°の範囲内になるように案内するように構成されていることを特徴とする請求項５に記載の照明装置。
【請求項７】
前記レール手段の前記レールは、前記本体から突起する一対のレールバーとからなり、該レール手段は、前記一対のレールバーの間に取付けられ、前記所定の長さ方向に沿って延伸する固定端子が固定されているレール回路基板を更に有し、
前記摺動部は、前記摺動座に固定され、前記摺動座が前記レールに取付けられると、常に前記固定端子に向かって突起して前記固定端子と電気的に接続する可動端子が固定されている摺動基板を更に有していることを特徴とする請求項６に記載の照明装置。
【請求項８】
前記レール回路基板に、該レール回路基板から前記摺動座側に向かって突起し、前記摺動基板から突起する前記一対の可動端子の間にある隙間に挿し込まれて前記摺動座及び前記可動端子の前記レール手段に対する幅方向での移動を制限することができる間隔板が配置されていることを特徴とする請求項７に記載の照明装置。
【請求項９】
前記揺動部の前記ＬＥＤ基板の前記ＬＥＤモジュールが取付けられている一面の反対側にある背面に、複数の放熱フィンを有する放熱シンクが固定されていることを特徴とする請求項８に記載の照明装置。
【考案の詳細な説明】
【技術分野】
【０００１】
本考案は照明装置に関し、特に、レール手段に沿って摺動することができる照明手段を備えた照明装置に関する。
【背景技術】
【０００２】
ショーケース内に収容される商品をより美しく魅力的に展示するには、該商品に当るライトが重要な役割を演じている。また、商品に当るライトの最適な角度も、商品ごとに異なるので、ショーケースに取り付けられてライトを投光する光源も、位置や投光角度を調整できるものが好ましい。
【０００３】
一方、従来の光源付きショーケースは、ショーケースの上端の四隅に光源が固定されるものが殆どであり、収容する商品に合わせて位置や投光角度を調整することができない。
【考案の概要】
【考案が解決しようとする課題】
【０００４】
上記問題点に鑑みて、本考案はレール手段に沿って摺動することができ、且つ投光角度を調整することができる照明手段を備えた照明装置の提供を目的とする。
【課題を解決するための手段】
【０００５】
上記目的を達成すべく、本考案は、所定の長さ方向に沿って延伸して長尺状に形成されたレール手段と、前記所定の長さ方向を摺動軸線として摺動できるように前記レール手段に取付けられていて前記移動によって投光目標を調整することができる可動投光手段とを具えている照明装置において、前記可動投光手段は、前記摺動軸線に沿って移動できるように前記レール手段に取付けられている摺動部と、前記摺動部から延伸する回動軸線に沿って延伸し、前記回動軸線を軸心として回動できるように前記摺動部に取付けられている回動部と、前記回動部を横断する揺動軸線を揺動軸として揺動できるように前記回動部に取付けられている揺動部と、を有するように構成され、前記揺動部は、前記揺動軸線を揺動軸として揺動できるように前記回動部に取付けられていると共に、外部と連通する開口を有する内側空間を画成するように略皿状に形成されているカバーと、前記内側空間内に収容されて前記開口に向かって発光するように前記カバー内に取付けられているＬＥＤモジュールと、前記ＬＥＤモジュールから発する光を案内するように前記内側空間に収容されている導光体と、を有するように構成されていることを特徴とする照明装置を提供する。
【０００６】
上記照明装置において、前記レール手段は、前記所定の長さ方向に沿って延伸する本体と、前記所定の長さ方向に沿って延伸すると共に、前記本体の前記所定の長さ方向に沿って延伸する一面から突設されているレールとを有するように形成されており、前記可動投光手段の前記摺動部は、前記摺動軸線に沿って移動できるように前記レールに取付けられていると共に、前記回動部の前記摺動部に挿し込まれている一端を受入れる挿込孔があけられているケーシングと、前記ケーシング内に配置されていると共に、前記ＬＥＤモジュールと電気的に接続する摺動座とを有していることが好ましい。
【０００７】
上記照明装置において、前記回動部は、前記回動軸線を回動軸として回動できるように一端が前記挿込孔に挿し込まれている管体と、前記管体の前記挿込孔に挿し込まれている前記一端に固定され、前記摺動部内に収容されている回動リングとを有しており、前記摺動部は、前記回動部の前記回動リングを係止して前記回動リング及び前記管体が回動できる角度範囲を所定範囲内に制限することができるように前記摺動座から突起する制限ブロックを更に有するように配置構成されていることが好ましい。
【０００８】
上記照明装置において、前記回動リングと前記摺動部の前記挿込孔の周縁との間に、ゴムリングが介在していることを特徴とする請求項３に記載の照明装置。
【０００９】
上記照明装置において、前記揺動部の前記カバーは、一端が枢支端として前記回動部の前記管体の前記摺動部外に露出している先端に枢支されていると共に、前記枢支端の反対側にある他端が照明端として開口し、前記内側空間を画成する収容凹部が形成されており、前記揺動部は、更に、前記内側空間に配置されていると共に、前記ＬＥＤモジュールが取付けられているＬＥＤ基板と、前記ＬＥＤ基板の前記カバーの前記開口に向かう一面側から、前記カバーの前記開口の内周縁まで延伸する略中空せっ頭錐状に形成された反射ユニットと、前記カバーの前記開口に取付けられている環状キャップとを有し、前記導光体は、前記反射ユニットにより囲まれていると共に、前記環状キャップにより前記内側空間内に固定されていることが好ましい。
【００１０】
上記照明装置において、前記導光体は、前記ＬＥＤモジュールから発する光を放射角が１５°〜６０°の範囲内になるように案内するように構成されていることが好ましい。
【００１１】
上記照明装置において、前記レール手段の前記レールは、前記本体から突起する一対のレールバーとからなり、該レール手段は、前記一対のレールバーの間に取付けられ、前記所定の長さ方向に沿って延伸する固定端子が固定されているレール回路基板を更に有し、前記摺動部は、前記摺動座に固定され、前記摺動座が前記レールに取付けられると、常に前記固定端子に向かって突起して前記固定端子と電気的に接続する可動端子が固定されている摺動基板を更に有していることが好ましい。
【００１２】
上記照明装置において、前記レール回路基板に、該レール回路基板から前記摺動座側に向かって突起し、前記摺動基板から突起する前記一対の可動端子の間にある隙間に挿し込まれて前記摺動座及び前記可動端子の前記レール手段に対する幅方向での移動を制限することができる間隔板が配置されていることが好ましい。
【００１３】
上記照明装置において、前記揺動部の前記ＬＥＤ基板の前記ＬＥＤモジュールが取付けられている一面の反対側にある背面に、複数の放熱フィンを有する放熱シンクが固定されていることが好ましい。
【考案の効果】
【００１４】
上記構成による本考案の照明装置が有する前記可動投光手段は、摺動軸線に沿って移動できるようにレール手段に取付けられている摺動部と、摺動部から延伸する回動軸線を軸心として回動できる回動部と、前記回動部を横断する揺動軸線を揺動軸として揺動できる揺動部と、を有するので、レール手段に沿って摺動することができ、且つ投光角度を調整することができる照明手段を備えた照明装置を提供することができる。
【図面の簡単な説明】
【００１５】
【図１】本考案の照明装置の第１の実施形態の外部構成が示されている斜視図である。
【図２】本考案の照明装置の第１の実施形態の構成が示されている分解図である。
【図３】本考案の照明装置の第１の実施形態の構成が示されている断面図である。
【図４】本考案の照明装置の第１の実施形態の回動構成が示されている説明図である。
【図５】本考案の照明装置の第２の実施形態の構成が示されている断面図である。
【図６】本考案の照明装置の第３の実施形態の構成が示されている断面図である。
【考案を実施するための形態】
【００１６】
以下では各図面を参照しながら、本考案の照明装置の各好ましい実施形態について詳しく説明する。
【００１７】
図１は本考案の照明装置の第１の実施形態の外部構成が示されている斜視図である。図１に示されているように、本考案の照明装置の第１の実施形態は、所定の長さ方向Ｌ１に沿って長尺状に形成されたレール手段２と、レール手段２の長さ方向Ｌ１を摺動軸線として該摺動軸線に沿って移動できるようにレール手段２に取付けられており該移動によって投光目標を調整することができる可動投光手段３とを備えている。
【００１８】
可動投光手段３は、前記摺動軸線（長さ方向Ｌ１）に沿って移動できるようにレール手段２に取付けられている摺動部３１と、摺動部３１から延伸する回動軸線Ｌ２に沿って延伸し、回動軸線Ｌ２を軸心として回動できるように摺動部３１に取付けられている回動部３２と、回動部３２を横断する揺動軸線Ｌ３を揺動軸として揺動できるように回動部３２に取付けられている揺動部３３と、を有するように構成されている。
【００１９】
図２は本考案の照明装置の第１の実施形態の構成が示されている分解図であり、図３は本考案の照明装置の第１の実施形態の構成が示されている断面図である。
【００２０】
図２及び図３に示されているように、本考案の照明装置の第１の実施形態が有するレール手段２は、前記長さ方向Ｌ１に沿って延伸する本体２１と、長さ方向Ｌ１に沿って延伸すると共に、本体２１の前記長さ方向Ｌ１に沿って延伸する一面から突設されているレール２２とを有するように形成されている。また、この実施形態において、レール２２は、本体２１から突起し、互いに対称となる構成を有する一対のレールバー２２１とからなる。また、レール手段２は、一対のレールバー２２１の間に取付けられ、前記長さ方向Ｌ１に沿って延伸する一対の固定端子２４が固定されているレール回路基板２３を更に有している。この実施形態において、一対のレールバー２２１のそれぞれレール回路基板２３に面しない端面から突起する係止突起２２２が形成されている。
【００２１】
可動投光手段３の摺動部３１は、前記摺動軸線に沿って移動できるように、一対のレールバー２２１にそれぞれ形成されている係止突起２２２と係止し合う取付けフック３１７によって一対のレールバー２２１に取付けられていると共に、回動部３２の一端を受入れる挿込孔３１５があけられているケーシング３１１と、ケーシング３１１内に配置されている摺動座３１２とを有している。摺動部３１は更に、摺動座３１２に固定されている上、摺動座３１２がレール２２に取付けられると、常にレール回路基板２３の一対の固定端子２４にそれぞれ向かって突起して一対の固定端子３４と電気的に接続する一対の可動端子３１４が固定されている摺動基板３１３を有している。
【００２２】
可動投光手段３の回動部３２は、回動軸線Ｌ２を回動軸として回動できるように一端が挿入端部３２４としてケーシング３１１の挿込孔３１５に回動可能に挿し込まれていると共に、ケーシング３１１から延伸する挿入端部３２４の反対側にあって、前記揺動軸線Ｌ３により貫通される揺動端部３２５を有するように形成された管体３２１と、管体３２１の挿込孔３１５に挿し込まれている挿入端部３２４に固定され、摺動部３１のケーシング３１１内に収容されている回動リング３２２と、回動リング３２２とケーシング３１１の挿込孔３１５の周縁との間に介在するように配置されているゴムリング３２３とを備えるように構成されている。
【００２３】
可動投光手段３の揺動部３３は、一端が揺動軸線Ｌ３を揺動軸として揺動できるように回動部３２の揺動端部３２５に取付けられるように構成されていると共に、前記一端の反対側にある他端に外部と連通する開口を有する内側空間を画成するように略皿状に形成されているカバー３３１と、該内側空間内に収容されて前記開口に向かって発光するようにカバー３１１内に取付けられているＬＥＤモジュール３３４と、ＬＥＤモジュール３３４から発する光を案内するように該内側空間内に収容されている導光体３３５と、を有するように構成されている。ちなみに、ＬＥＤモジュール３３４は配線（図示せず）により摺動座３１２が有する摺動基板３１３と電気的に接続されている。
【００２４】
揺動部３３のカバー３３１は、一端が枢支端３３８として回動部３２の管体３２１の摺動部３１外に露出している揺動端部３２５に枢支されていると共に、枢支端３３８の反対側にある他端が照明端として開口し、上記内側空間を画成する収容凹部３３９が形成されている。また、揺動部３３は、収容凹部３３９により画成される上記内側空間内に配置されていると共に、ＬＥＤモジュール３３４が取付けられているＬＥＤ基板３３２と、ＬＥＤ基板３３２のカバー３３１の開口に向かう一面側から、カバー３３１の開口の内周縁まで延伸する略中空せっ頭錐状に形成された反射ユニット３３６と、カバー３３１の前記開口に取付けられている環状キャップ３３７とを更に有しており、導光体３３５は、反射ユニット３３６により囲まれていると共に、環状キャップ３３７により上記内側空間内に固定されている。更にまた、この実施形態に使用される導光体３３５は、ＬＥＤモジュール３３４から発する光を放射角θが１５°〜６０°の範囲内になるように案内できるように構成されている。そして、揺動部３３のＬＥＤ基板３３２のＬＥＤモジュール３３４が取付けられている一面の反対側にある背面には、複数の放熱フィンを有する放熱シンク３３３が固定されている。
【００２５】
図４は本考案の照明装置の第１の実施形態の回動構成が示されている説明図である。図２〜図４に示されているように、回動部３２の回動リング３２２に当接突起３２６が形成され、摺動部３１は、回動部３２の回動リング３２２の構成に対応し、回動リング３２２の当接突起３２６に当接して係止することによって、回動リング３２２及び管体３２１が摺動部３１に対する回動ができる角度範囲を所定範囲（この実施形態では０°〜３００°）内に制限することができるように摺動座３１２から突起する制限ブロック３１６を更に有するように配置構成されている。
【００２６】
図５は本考案の照明装置の第２の実施形態の構成が示されている断面図である。図示されているように、本考案の照明装置の第２の実施形態は第１の実施形態とほぼ同じ構成になっているため、その相違点についてのみ説明する。この第２の実施形態において、レール手段２が有する一対のレールバー２２１にそれぞれ形成されている係止突起２２２は、異なる横幅を有するように形成されており、そして摺動部３１のケーシング３１１に形成されて係止突起２２２と係止し合う取付けフック３１７も、一対のレールバー２２１にそれぞれ形成されている係止突起２２２の異なる横幅にそれぞれ対応して異なるサイズに形成されている。この構成により、横幅がより長い側の係止突起２２２はサイズがより大きい取付けフック３１７をのみ係止することができるので、摺動部３１の逆方向の取り付けができなくなり、一対の固定端子２４と一対の可動端子３１４との間違った接続を回避することができる。
【００２７】
図６は本考案の照明装置の第３の実施形態の構成が示されている断面図である。図示されているように、本考案の照明装置の第２の実施形態は第１の実施形態とほぼ同じ構成になっているため、その相違点についてのみ説明する。
【００２８】
本考案の照明装置の第３の実施形態のレール手段２が有するレール回路基板２３には、該レール回路基板２３から可動投光手段３の摺動座３１２側に向かって突起し、摺動基板３１３から突起する可動端子３１４と一対のレールバー２２１とそれぞれの間にある隙間、及び一対の可動端子３１４の間にある隙間にそれぞれ挿し込まれて可動端子３１４と一対のレールバー２２１との直接的な接触を防ぐと共に、摺動座３１２及び可動端子３１４のレール手段２に対する幅方向での移動を制限することができる間隔板２３２が配置されている。
【００２９】
この構成によって、一対の固定端子２４に大電流が流れることによって変形しても互いに接触することができないので、一対の固定端子２４が互いに接触することによって生じるショートを防ぐことができる。
【産業上の利用可能性】
【００３０】
上記構成による本考案の照明装置が有する前記可動投光手段は、摺動軸線に沿って移動できるようにレール手段に取付けられている摺動部と、摺動部から延伸する回動軸線を軸心として回動できる回動部と、前記回動部を横断する揺動軸線を揺動軸として揺動できる揺動部と、を有するので、レール手段に沿って摺動することができ、且つ投光角度を調整することができ、展示する商品が頻繁に変えられるため投光角度の調整が頻繁に要求されるショーケースに適する照明装置を提供することができる。
【符号の説明】
【００３１】
２    レール手段
２１    本体
２２    レール
２２１    レールバー
２２２    係止突起
２３    レール回路基板
２３２    間隔板
２４    固定端子
３    可動投光手段
３１    摺動部
３１１    ケーシング
３１２    摺動座
３１３    摺動基板
３１４    可動端子
３１５    挿込孔
３１６    制限ブロック
３１７    取付けフック
３２    回動部
３２１    管体
３２２    回動リング
３２３    ゴムリング
３２４    挿入端部
３２５    揺動端部
３２６    当接突起
３３    揺動部
３３１    カバー
３３２    ＬＥＤ基板
３３３    放熱シンク
３３４    ＬＥＤモジュール
３３５    導光体
３３６    反射ユニット
３３７    環状キャップ
３３８    枢支端
３３９    収容凹部
Ｌ１    長さ方向
Ｌ２    回動軸線
Ｌ３    揺動軸線
【図１】
0003189691.tif 000003
【図２】
0003189691.tif 000004
【図３】
0003189691.tif 000005
【図４】
0003189691.tif 000006
【図５】
0003189691.tif 000007
【図６】
0003189691.tif 000008